(57)【要約】【課題】  フィルタ部の取り付け性を向上させることができる技術を提供することである。【解決手段】  燃料ポンプは、燃料タンクの開口部を閉塞する蓋部と、前記蓋部の前記燃料タンク側の面から前記燃料タンクの前記開口部を通り前記燃料タンクの内部に向かって突出しており、前記開口部の周方向に沿って湾曲して延びる壁部と、前記壁部の湾曲方向に沿って配置され、前記壁部に支持されるフィルタ部と、を備え、前記壁部は、前記燃料タンク側の前記面から前記壁部が突出する側に最も離間した離間位置において頂部を備え、前記壁部の前記湾曲方向における壁幅は、前記燃料タンク側の前記面から前記頂部に向かうにつれて減少していてもよい。【選択図】  図１
2020063697.tif 000002
【特許請求の範囲】
【請求項１】
燃料タンクの開口部を閉塞する蓋部と、
前記蓋部の前記燃料タンク側の面から前記燃料タンクの前記開口部を通り前記燃料タンクの内部に向かって突出しており、前記開口部の周方向に沿って湾曲して延びる壁部と、
前記壁部の湾曲方向に沿って配置され、前記壁部に支持されるフィルタ部と、を備え、
前記壁部は、前記燃料タンク側の前記面から前記壁部が突出する側に最も離間した離間位置において頂部を備え、
前記壁部の前記湾曲方向における壁幅は、前記燃料タンク側の前記面から前記頂部に向かうにつれて減少している、燃料供給装置。
【請求項２】
請求項１に記載の燃料供給装置であって、
前記壁部の前記湾曲方向における前記頂部の位置は、前記フィルタ部の前記湾曲方向における中央部の位置と重なっている、燃料供給装置。
【請求項３】
請求項１又は２に記載の燃料供給装置であって、
前記壁部の基部における前記壁幅は、前記フィルタ部の前記湾曲方向におけるフィルタ幅よりも大きい、燃料供給装置。
【発明の詳細な説明】
【技術分野】
【０００１】
本明細書は、燃料供給装置を開示する。
【背景技術】
【０００２】
特許文献１には、燃料供給装置が開示されている。燃料供給装置は、燃料タンクの開口部に挿通される筒状の外周壁と、外周壁よりも内側に配置されるポンプ保持壁と、外周壁とポンプ保持壁との間に配置されるフィルタ部と、を備える。外周壁の上端面は、周方向に対して水平に延びている。
【先行技術文献】
【特許文献】
【０００３】
【特許文献１】特開２０１６−１０８９５２号公報
【発明の概要】
【発明が解決しようとする課題】
【０００４】
上記の技術では、フィルタ部を取り付ける際、作業者は、フィルタ部を外周壁の外部から、外周壁の上端開口を通り、外周壁の下端開口に向かって移動させる。この場合、フィルタ部の下端が、周方向に対して平行に延びる外周壁の上端面に引っ掛かることがあり、フィルタ部の取り付けに時間がかかることがある。
【０００５】
本明細書は、フィルタ部の取り付け性を向上させることができる技術を提供する。
【課題を解決するための手段】
【０００６】
本明細書で開示される燃料供給装置は、燃料タンクの開口部を閉塞する蓋部と、前記蓋部の前記燃料タンク側の面から前記燃料タンクの前記開口部を通り前記燃料タンクの内部に向かって突出しており、前記開口部の周方向に沿って湾曲して延びる壁部と、前記壁部の湾曲方向に沿って配置され、前記壁部に支持されるフィルタ部と、を備え、前記壁部は、前記燃料タンク側の前記面から前記壁部が突出する側に最も離間した離間位置において頂部を備え、前記壁部の前記湾曲方向における壁幅は、前記燃料タンク側の前記面から前記頂部に向かうにつれて減少していてもよい。
【０００７】
この構成では、フィルタ部を外部から壁部の頂部に向かって移動させる際、壁部が離間位置において湾曲方向に対して水平に延びる上面を備える場合と比較して、フィルタ部の端部が壁部の頂部に引っ掛かることを抑制することができる。このため、壁部が離間位置において湾曲方向に対して水平に延びる上面を備える場合と比較して、フィルタ部の取り付け性を向上させることができる。
【０００８】
前記壁部の前記湾曲方向における前記頂部の位置は、前記フィルタ部の前記湾曲方向における中央部の位置と重なっていてもよい。この構成では、作業者は、フィルタ部の湾曲方向における中央部の位置を、壁部の湾曲方向における頂部の位置に重ねた後、フィルタ部を壁部の頂部から蓋部の燃料タンク側の面に向かって移動させることができる。このため、フィルタ部の取り付け性を向上させることができる。
【０００９】
前記壁部の基部における前記壁幅は、前記フィルタ部の前記湾曲方向におけるフィルタ幅よりも大きくてもよい。この構成では、フィルタ部を壁部の頂部から基部に向かって移動させ、フィルタ部の端部が壁部の基部に到達した際、フィルタ部の端部の全体が壁部に支持されている。このため、フィルタ部の端部が蓋部に引っ掛かることを抑制することができる。この結果、フィルタ部の取り付け性を向上させることができる。
【図面の簡単な説明】
【００１０】
【図１】燃料供給装置の斜視図である。
【図２】燃料供給装置のセットプレートの斜視図である。
【図３】燃料供給装置の側面図である。
【図４】セットプレートにフィルタ部を取り付ける作業を説明するための図である。
【発明を実施するための形態】
【００１１】
（実施例）
図１から図４を参照して、本実施例の燃料供給装置２０を説明する。燃料供給装置２０は、二輪車や四輪車等の車両に搭載される。図１及び図３に示すように、燃料供給装置２０は、燃料タンク１０内に収容される。なお、図１及び図３では、燃料供給装置２０と燃料タンク１０との位置関係を示すために、燃料タンク１０が破線によって図示されている。また、図３において、紙面垂直方向（即ちＸ方向）と上下方向（即ちＹ方向）とが規定されている。図１に示すように、燃料供給装置２０は、ポンプ部２２と、図示省略の液面検出部と、セットプレート４０と、フィルタ部７０と、を備える。
【００１２】
ポンプ部２２は、燃料ポンプ２４とポンプカバー２６とを備える。燃料ポンプ２４は、燃料タンク１０内の燃料を図示省略の燃料利用装置に送出する。燃料タンク１０の上端は、ポンプカバー２６によって覆われている。ポンプカバー２６は、固定部２８を備える。固定部２８は、ポンプカバー２６の上端に位置している。
【００１３】
ポンプカバー２６の固定部２８には、液面検出部が固定される。液面検出部は、液面検出部が燃料タンク１０内の燃料の液面よりも上側に位置するか下側に位置するかを検出する。
【００１４】
図２に示すように、セットプレート４０は、蓋部４２と、壁部５６と、ポンプ保持部６０と、を備える。蓋部４２と壁部５６とポンプ保持部６０とは、樹脂成型によって一体的に作製されている。図３に示すように、蓋部４２は、燃料タンク１０の開口部１２を閉塞する。これにより、燃料タンク１０内の燃料が燃料タンク１０の外部に漏出することを抑制することができる。
【００１５】
図２に示すように、蓋部４２は、側部４４と、底部４６と、フランジ部４８と、を備える。側部４４は、円筒形状を有する。側部４４の下端面には、底部４６が連結されている。底部４６は、側部４４の下部開口を閉塞する。側部４４の上端面には、フランジ部４８が連結されている。フランジ部４８は、環状部５０と突出部５２とを備える。環状部５０は、環状形状を有する。環状部５０の内周面の直径は、側部４４の内周面の直径と略同一である。環状部５０の外周面の直径は、燃料タンク１０の開口部１２の直径よりも大きい。突出部５２は、環状部５０の外周縁から上方に向かって（即ち、燃料タンク１０に向かって）突出している。突出部５２は、環状部５０の外周縁を一巡している。図３に示すように、突出部５２は、燃料タンク１０に当接する。
【００１６】
フランジ部４８の環状部５０の上面、即ち、蓋部４２の燃料タンク１０側の面から壁部５６が突出している。壁部５６は、燃料タンク１０の開口部１２を通り、燃料タンク１０の内部に向かって延びている。壁部５６は、燃料タンク１０に当接する。これにより、蓋部４２は、燃料タンク１０に固定される。壁部５６は、燃料タンク１０の開口部１２の円周方向に沿って湾曲して延びている。以下では、環状部５０の上面側における壁部５６の端部を基部５６ａと呼び、環状部５０の上面から最も離間している離間位置における壁部５６の端部を頂部５６ｂと呼ぶ。
【００１７】
図２に示すように、湾曲方向において、頂部５６ｂは、壁部５６の中央に位置している。湾曲方向において、壁部５６の頂部５６ｂは、端部５６ｃと端部５６ｄとの間の中央に位置している。湾曲方向において、壁部５６の頂部５６ｂと端部５６ｃとの間隔は、壁部５６の頂部５６ｂと端部５６ｄとの間隔に等しい。壁部５６の湾曲方向における幅（以下では、壁幅と呼ぶ）は、基部５６ａで最も広い。なお、湾曲方向は、円周方向と平行である。壁部５６の壁幅は、基部５６ａから頂部５６ｂに向かうにつれて徐々に減少する。壁部５６の壁幅と基部５６ａからの離間距離との関係は、直線の関係である。壁部５６の壁幅と基部５６ａからの離間距離との関係を表す直線は、第１の傾きを有する。基部５６ａにおける壁幅は、頂部５６ｂにおける壁幅よりも広い。頂部５６ｂにおける壁幅は、実質的にゼロである。壁部５６は、頂部５６ｂにおいて尖っている。なお、尖っているとは、鋭角に尖っていることと鈍角に尖っていることとを含む。壁部５６の頂部５６ｂは、丸く面取りされた形状を有する。壁部５６の壁幅は、頂部５６ｂで最も狭い。
【００１８】
ポンプ保持部６０は、底部４６の上面から、側部４４の上部開口を越えて、上方に向かって延びている。ポンプ保持部６０は、円周方向おいて部分的に途切れた円筒形状を有する。ポンプ保持部６０の外周面の半径方向外側には、側部４４と壁部５６とが配置されている。ポンプ保持部６０は、側部４４と壁部５６とに対して間隔を有して配置されている。ポンプ保持部６０の下部は、側部４４の内部に収容されている。ポンプ保持部６０の内部には、燃料ポンプ２４が配置されている。ポンプ保持部６０は、燃料ポンプ２４を保持する。
【００１９】
図１に示すように、フィルタ部７０は、ポンプ保持部６０と壁部５６との間に配置されている。フィルタ部７０は、ポンプ保持部６０と側部４４との間に配置されている。フィルタ部７０は、壁部５６の湾曲方向に沿って配置されている。フィルタ部７０は、側部４４の円周方向に沿って配置されている。フィルタ部７０は、側部４４と壁部５６とに支持されている。フィルタ部７０の下部は、側部４４の内部に、即ち蓋部４２の内部に収容されている。フィルタ部７０は、壁部５６の頂部５６ｂを超えて、上方に延びている。
【００２０】
フィルタ部７０は、壁部５６の湾曲方向に沿って湾曲している。図３に示すように、フィルタ部７０の湾曲方向におけるフィルタ幅は、壁部５６の湾曲方向における壁幅よりも小さい。フィルタ部７０の湾曲方向における中央部７０ａの位置は、壁部５６の湾曲方向における頂部５６ｂの位置と重なっている。湾曲方向において、フィルタ部７０の中央部７０ａは、フィルタ部７０の中央に位置している。湾曲方向において、フィルタ部７０の中央部７０ａは、フィルタ部７０のフィルタ幅の３０％の幅を有する領域を表す。フィルタ部７０の湾曲方向における端部７０ｂは、壁部５６の湾曲方向における端部５６ｃよりも頂部５６ｂ側に位置している。フィルタ部７０の湾曲方向における端部７０ｂと反対側の端部７０ｃは、壁部５６の湾曲方向における端部５６ｃと反対側の端部５６ｄよりも頂部５６ｂ側に位置している。
【００２１】
フィルタ部７０は、内部空間を有する。フィルタ部７０は、燃料ポンプ２４に取り付けられている。フィルタ部７０の内部空間は、燃料ポンプ２４の燃料吸入経路に連通している。燃料ポンプ２４が駆動すると、燃料タンク１０内の燃料は、フィルタ部７０の外部からフィルタ部７０の内部空間に向かって移動し、その後、燃料ポンプ２４の燃料吸入経路に移動する。これにより、燃料に含まれる異物はフィルタ部７０によって除去され、異物を含まない燃料が燃料ポンプ２４に送られる。
【００２２】
次に、図４を参照して、セットプレート４０にフィルタ部７０を取り付ける作業を説明する。なお、図４には、予め燃料ポンプ２４が取り付けられたセットプレート４０に、フィルタ部７０を取り付ける様子が示されている。しかしながら、変形例では、予め燃料ポンプ２４に取り付けられたフィルタ部７０を、セットプレート４０に取り付けてもよい。
【００２３】
セットプレート４０に取り付けられる前のフィルタ部７０は、平らに延びている。フィルタ部７０の下部におけるフィルタ幅は、下端に向かうにつれて減少している。なお、変形例では、フィルタ部７０のフィルタ幅は、上端から下端まで一定であってもよい。まず、フィルタ部７０をセットプレート４０の上方から壁部５６の頂部５６ｂに向かって下方に移動させる。フィルタ部７０の下端が壁部５６の頂部５６ｂに到達すると、フィルタ部７０の下端において、フィルタ部７０の中央部７０ａは、壁部５６の頂部５６ｂに点接触する。
【００２４】
次に、フィルタ部７０を壁部５６の頂部５６ｂから基部５６ａに向かって下方に移動させる。この場合、フィルタ部７０は、壁部５６に沿って頂部５６ｂから基部５６ａに案内される。フィルタ部７０が頂部５６ｂから基部５６ａに移動するにつれて、壁部５６の湾曲方向において、フィルタ部７０と壁部５６とが当接する幅は大きくなる。このため、フィルタ部７０が頂部５６ｂから基部５６ａに移動するにつれて、フィルタ部７０は、フィルタ部７０の中央部７０ａから端部７０ｂ、７０ｃに向かって徐々に湾曲する。フィルタ部７０の下端が基部５６ａに到達すると、フィルタ部７０は、フィルタ部７０の中央部７０ａから端部７０ｂ、７０ｃまで、壁部５６に沿って湾曲している形状に変形する。また、湾曲方向において、フィルタ部７０の下端は、壁部５６の端部５６ｃ、５６ｄの間に配置されている。
【００２５】
次いで、フィルタ部７０を壁部５６の基部５６ａから蓋部４２の底部４６に向かって、底部４６に当接するまで下方に移動させる。この場合、フィルタ部７０は、蓋部４２の側部４４に沿って底部４６まで案内される。
【００２６】
（効果）
壁部５６は、環状部５０の上面側の端部である基部５６ａと、環状部５０の上面から最も離間している離間位置に位置する頂部５６ｂと、を備える。壁部５６は、湾曲方向における壁部５６の壁幅は、基部５６ａから頂部５６ｂに向かうにつれて徐々に減少し、頂部５６ｂにおいて、実質的にゼロである。フィルタ部７０をセットプレート４０に取り付ける場合、まず、フィルタ部７０の下端は、壁部５６の頂部５６ｂに点接触する。一方、環状部５０の上面から最も離間している離間位置において、壁部５６が湾曲方向において所定の長さを有する上面を備える場合、フィルタ部７０をセットプレート４０に取り付けると、フィルタ部７０の下端は、壁部５６の上面に面接触する。このため、壁部５６が頂部５６ｂを備える場合、壁部５６が上面を備える場合と比較して、フィルタ部７０の下端が壁部５６に引っ掛かることを抑制することができる。この結果、フィルタ部７０をセットプレート４０に容易に取り付けることができる。
【００２７】
フィルタ部７０をセットプレート４０に取り付ける場合、まず、フィルタ部７０の中央部７０ａを、壁部５６の頂部５６ｂに重ねる。次に、フィルタ部７０を、壁部５６の頂部５６ｂから基部５６ａに向かって下方に移動させる。このため、壁部５６の湾曲方向における頂部５６ｂの位置によって、フィルタ部７０をセットプレート４０に取り付ける位置が決定される。この結果、フィルタ部７０をセットプレート４０に容易に取り付けることができる。
【００２８】
また、フィルタ部７０を壁部５６の頂部５６ｂから基部５６ａに向かって下方に移動させるにつれて、フィルタ部７０は、フィルタ部７０の中央部７０ａから端部７０ｂ、７０ｃに向かって徐々に湾曲する。フィルタ部７０が基部５６ａに到達すると、フィルタ部７０は、中央部７０ａから端部７０ｂ、７０ｃまで湾曲し、壁部５６に沿って湾曲している形状に変形する。このため、フィルタ部７０をセットプレート４０に取り付ける前に、フィルタ部７０を壁部５６の形状に沿った形状に変形せずに済む。このため、フィルタ部７０をセットプレート４０に容易に取り付けることができる。
【００２９】
フィルタ部７０の湾曲方向におけるフィルタ幅は、壁部５６の湾曲方向における壁幅よりも小さい。フィルタ部７０をセットプレート４０に取り付ける場合、フィルタ部７０の下端が壁部５６の基部５６ａに到達すると、湾曲方向において、フィルタ部７０の下端は、壁部５６の端部５６ｃ、５６ｄの間に配置されている。このため、フィルタ部７０の下端は、壁部５６に支持されている。この結果、フィルタ部７０を壁部５６の基部５６ａから蓋部４２の底部４６に向かって移動させても、フィルタ部７０の下端がフランジ部４８に引っ掛かることを抑制することができる。この結果、フィルタ部７０をセットプレート４０に容易に取り付けることができる。
【００３０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。
【００３１】
（変形例）
（１）上記の実施例では、フィルタ部７０の湾曲方向におけるフィルタ幅は、壁部５６の湾曲方向における壁幅よりも小さい。しかしながら、フィルタ部７０の湾曲方向におけるフィルタ幅は、壁部５６の湾曲方向における壁幅よりも大きくてもよい。
【００３２】
（２）上記の実施例では、湾曲方向において、頂部５６ｂは、壁部５６の中央に位置している。しかしながら、湾曲方向において、頂部５６ｂは、壁部５６の中央よりも端部５６ｃ側又は端部５６ｄ側に位置していてもよい。また、湾曲方向において、頂部５６ｂは、端部５６ｃ又は端部５６ｄに位置していてもよい。
【００３３】
（３）上記の実施例では、壁部５６の壁幅と基部５６ａからの離間距離との関係は、直線の関係である。しかしながら、壁部５６の壁壁と基部５６ａからの離間距離との関係を表す関係式は、二次関数の関係式であってもよく、指数関数の関係式であってもよい。
【００３４】
（４）上記の実施例では、壁部５６の壁幅と基部５６ａからの離間距離との関係を表す直線は、第１の傾きを有する。しかしながら、壁部５６の壁幅と基部５６ａからの離間距離との関係を表す直線は、第１の傾きを有する直線部分と第２の傾きを有する直線部分とを有していてもよい。
【００３５】
また、本明細書又は図面に説明した技術要素は、単独であるいは各種の組合せによって技術的有用性を発揮するものであり、出願時請求項記載の組合せに限定されるものではない。また、本明細書又は図面に例示した技術は複数目的を同時に達成し得るものであり、そのうちの一つの目的を達成すること自体で技術的有用性を持つものである。
【符号の説明】
【００３６】
１０    ：燃料タンク
１２    ：開口部
２０    ：燃料供給装置
２２    ：ポンプ部
２４    ：燃料ポンプ
２６    ：ポンプカバー
４０    ：セットプレート
４２    ：蓋部
４４    ：側部
４６    ：底部
４８    ：フランジ部
５６    ：壁部
５６ａ  ：基部
５６ｂ  ：頂部
６０    ：ポンプ保持部
７０    ：フィルタ部
７０ａ  ：中央部
【図１】
2020063697.tif 000003
【図２】
2020063697.tif 000004
【図３】
2020063697.tif 000005
【図４】
2020063697.tif 000006